(57)【要約】【課題】  高い剛性を有し、建築物の耐震性を向上させることができるようにする。【解決手段】  本考案の建築物１０の床構造１は、平行に配設された床梁２間に、上面が該床梁２の上面と面一になるように根太３が所定間隔で架設されるとともに、該床梁２及び該根太３の上面に接した状態で、該床梁２及び根太３に床板部４が支持されており、根太３の端部は、床梁２の側面上部に凹設された根太掛け２ａに嵌合されるとともに、該端部の両側面からそれぞれ該端部の木口へ抜ける釘５により床梁２に固定されてなっている。【選択図】      図２
0003127336.tif 000002
【実用新案登録請求の範囲】
【請求項１】
平行に配設された床梁間に、上面が該床梁の上面と面一になるように根太が所定間隔で架設されるとともに、該床梁及び該根太の上面に接した状態で、該床梁及び根太に床板部が支持されており、
前記根太の端部は、前記床梁の側面上部に凹設された根太掛けに嵌合されるとともに、該端部の両側面からそれぞれ該端部の木口へ抜ける釘又はネジにより前記床梁に固定されてなる建築物の床構造。
【請求項２】
前記床板部は、下から順に、構造用合板、プラスターボード、フローリングが積層されてなる請求項１記載の建築物の床構造。
【請求項３】
前記床板部は、前記プラスターボードと、前記フローリングとの間に遮音シートが敷設されてなる請求項２記載の建築物の床構造。
【考案の詳細な説明】
【技術分野】
【０００１】
本考案は、特に２階以上の床に適した建築物の床構造に関するものである。
【背景技術】
【０００２】
従来の建築物の床構造として、非特許文献１記載の木造建築物の床構造５０を例示する。この床構造５０は、木造建築物の床構造として一般的なものであり、図６に示すように、平行に配設された床梁５１の上に、根太５２（例えば、幅４５ｍｍ、高さ６０ｍｍ）が所定間隔で架設されるとともに、該根太５２の上に床板部５３が支持されている。根太５２を省いて、床梁５１の上に、床板部５３が支持される構成もある。床板部５３の構造としては、構造用合板の上にフローリングが積層されてなるものが多い。
【０００３】
【非特許文献１】尾上孝一著、「図解  木造建築の技術」、第４０版、理工学社、２００１年１月２５日、ｐ． ５
【考案の開示】
【考案が解決しようとする課題】
【０００４】
ところが、従来の床構造５０では、床板部５３が根太５２を介して床梁５１に支持されており、床板部５３と床梁５１が一体化しないので、横揺れやねじれに対する抵抗が不足しやすいという課題がある。また、床板部５３は、構造用合板の上にフローリングが積層されているだけであると、縦揺れに対する抵抗が不足しやすいという課題がある。
【０００５】
本考案の目的は、上記課題を解決し、高い剛性を有し、建築物の耐震性を向上させることができる建築物の床構造を提供することにある。
【課題を解決するための手段】
【０００６】
上記目的を達成するために、本考案の建物の床構造は、
平行に配設された床梁間に、上面が該床梁の上面と面一になるように根太が所定間隔で架設されるとともに、該床梁及び該根太の上面に接した状態で、該床梁及び根太に床板部が支持されており、
前記根太の端部は、前記床梁の側面上部に凹設された根太掛けに嵌合されるとともに、該端部の両側面からそれぞれ該端部の木口へ抜ける釘又はネジにより前記床梁に固定されてなっている。
【０００７】
この構成によれば、前記床板部が前記床梁及び前記根太の上面に接するようにすることで、該床梁及び根太と該床板部とを一体化させるとともに、該床梁及び該根太と該床板部との接合箇所を多くすることができる。さらに、前記根太の端部は、前記根太掛けに嵌合されるとともに、該端部の両側面からそれぞれ該端部の木口へ抜ける釘又はネジにより前記床梁に固定されているので、前記床梁及び前記根太を強固に一体化させることができる。そして、これらの構成により床構造の強度を大幅に向上させて、建築物のねじれ等の変形を防止し、もって、建築物の耐震性を向上させることができる。
【０００８】
前記床板部は、下から順に、構造用合板、プラスターボード、フローリングが積層されてなる態様を例示する。
【０００９】
この構成によれば、前記構造用合板と前記フローリングとの間に前記プラスターボードを積層しているので、前記床板部の剛性を向上させることができる。これにより、特に縦揺れに対する抵抗を向上させることができる。また、前記プラスターボードは、床の防音性を向上させるようにも作用する。
【００１０】
前記床板部は、前記プラスターボードと、前記フローリングとの間に遮音シートが敷設されてなっている態様を例示する。
【００１１】
この構成によれば、前記遮音シートにより、床の防音性をさらに向上させることができる。
【考案の効果】
【００１２】
本考案に係る建築物の床構造によれば、高い剛性を有し、建築物の耐震性を向上させることができるという優れた効果を奏する。
【考案を実施するための最良の形態】
【００１３】
以下、本考案を具体化した一実施形態を説明する。図１〜図５は本考案の床構造１を備えた木造建築物１０を示している。本例の木造建築物１０は、２階建てとなっており、その特徴は次の通りである。
【００１４】
《基礎の構造》
本例の建築物１０の基礎１１は、図１に示すように、鉄筋１２を格子状に配筋し、組んだ上からコンクリート１３を流し込む、いわゆる「ベタ基礎」となっている。一般には、直径１０ｍｍの鉄筋を３００ｍｍ角ピッチで配筋するが、本例では強度を上げるため、直径１３ｍｍの鉄筋１２を１５０ｍｍ角ピッチで高密度に配筋している。平面のベタ部分の厚さは、一般の１２０ｍｍのコンクリート打ちより頑強な１５０ｍｍとしている。また、床下の腐食やシロアリなどの発生を抑えるため、基礎１１と土台１４の間にパッキン（図示略）で隙間をつくり、基礎に換気口を設ける場合と比べ、床下の通気量を約２倍確保している。これにより優れた耐久性を備えさせている。
【００１５】
《基本工法》
本例の建築物１０は、図１に示すように、いわゆる在来木造といわれる工法を採用している。この工法は、建築物１０にかかる上からの力や横からの力を柱１６、梁２，１７、筋交い（図示略）といった構造材で受けるようにしたものである。本例の建築物１０では、更に、その軸組みに構造用パネル２４（９ｍｍ）をはることによって、建築物１０にかかる力を面で受け、分散させるようにしている。これにより、建築物１０が一体となった箱のような状態となり非常に強い建築物ができ、高い耐震性を発揮する。
【００１６】
《軸組》
本例の建築物１０では、通し柱（図示略）はすべて４寸角で、集成材のエンジニアリングウッドを使用している。このエンジニアリングウッドは、ムク材と比べ約１．５倍の強度を有しているので、全方向への耐久性が大幅に向上する。また、梁２，１７にはドライビームを使用している。ドライビームは平均含水率１８％以下の乾燥材（一般に使用されている未乾燥材は３５％以上）で、収縮や変形がなく建築物の寿命を大きく延ばすことができる。
【００１７】
《床構造》
本例の建築物１０の床構造１は、図２〜図４に示すように、所定間隔（９１０〜１０００ｍｍとすることを例示する。本例では１０００ｍｍ）をおいて平行に床梁２が配設されている。床梁２間には、上面が該床梁２の上面と面一になるように根太３が所定間隔（３０３〜３３３ｍｍとすることを例示する。本例では３３３ｍｍ）をおいて架設されることにより、床梁２及び根太３が格子状に組み付けられている。根太３の端部は、床梁２の側面上部に凹設された根太掛け２ａに嵌合されるとともに、根太３の端部の両側面からそれぞれ該端部の木口へ抜ける複数（本例では各側面に上下２本）の釘５により床梁２に固定されてなっている（図３及び図４（ｂ）参照）。本例では、根太３が床梁２に大入れで嵌合されているが、これに限定されず、根太３の端部に形成した凸部を、床梁２の側面に設けた凹部としての根太掛け２ａに嵌合させる構成を適宜採用することもできる。また、根太３を床梁２に固定する釘５が、根太３の上面から入っていると、上下振動等により釘５が緩んだ場合に床梁２に対して根太３が上下にがたついて、そこを足で踏むと床鳴りがする現象が発生することがあるが、本例では、該釘５が、根太３の端部の側面から該端部の木口へ抜けるように設けられており、このような現象を防止することができる。さらに、本例においては、根太３の端部の両側面から入る釘５は、互いの軸方向が交差するように設けられているので、床梁２からの根太３の抜けを防止することができ、これにより、床梁２及び根太３を強固に一体化できる。
【００１８】
根太３としては、幅３０〜４５ｍｍ、高さ３０〜１０５ｍｍの木材を使用することを例示する。本例では、根太３として幅４５ｍｍ、高さ１０５ｍｍの木材を使用しており、特に高さを大きめ（幅の約２倍）に設定することにより、縦揺れに対する梁性を向上させるようにしている。
【００１９】
床梁２及び根太３には、それらの上面に接した状態で床板部４が支持されている。床板部４は、図４に示すように、下から順に、構造用合板６、プラスターボード７、遮音シート８、フローリング９が積層されてなっている。本例では、構造用合板６及びプラスターボード７は、それらの長辺方向が互いに直交するように敷設されている。これにより、床板部４の剛性を向上させるようにしている。構造用合板６、プラスターボード７、遮音シート８及びフローリング９の固定方法については、釘、ネジ等の公知の方法を適宜採用できる。構造用合板６、プラスターボード７、フローリング９としては、厚さ９．５〜１２．５ｍｍのものを使用することを例示する。本例では、構造用合板６、プラスターボード７、フローリング９として、厚さ１２．５ｍｍのものを使用している。また、遮音シート８としては、本例では厚さ１〜２ｍｍのものを使用している。
【００２０】
《壁構造》
本例の建築物１０の壁２０は、図５に示すように、外壁としてのサイディング２１側に通気層２２（本例では幅約１６ｍｍ）を設ける外壁通気工法を採用している。湿気は雨粒の約２５０万分の１という小さな粒子であるため、室内の湿気は内装材２６を通って壁の中に侵入してくるが、壁が密閉状態の場合、湿気に逃げ場がなく壁体内で結露が発生することがある。通気工法とすることにより、室内から侵入した湿気を通気層２２に通し、速やかに屋外に放出させ、壁体内結露を抑制するようにしている。また、壁内の通気層２２に外気を自然に取り込み空気を循環させるため、壁内結露もなく、壁構造の耐久性が大きく向上する。また、通気工法を採用することにより、サイディング２１と構造用パネル２４の外面に貼られた透湿防水紙２３との間に空間ができるため、暴風雨などの時にサイディング２１の接合部などからサイディング２１の裏面側に雨水が侵入したとしても、それを速やかに排出することができる。また、外壁通気工法によれば、サイディング２１に直射日光が当たり、サイディング２１がかなりの熱を受けた場合、通気層２２内に上昇気流が発生し、受けた熱の一部がこの通気層２２内の通風によって屋外に排出される（遮熱作用）。さらに、この通気工法とともに、壁内の断熱材２５に優れた断熱性を有するロックウール（本例では厚さ約５５ｍｍ）を使用することにより、建築物１０の冷暖房に関し、大幅な省エネルギーを実現するようにしている。
【００２１】
以上のように構成された本考案の建築物１０の床構造１によれば、床板部４が床梁２及び根太３の上面に接するようにすることで、該床梁２及び根太３と該床板部４とを一体化させるとともに、該床梁２及び該根太３と該床板部４との接合箇所を多くすることができる。さらに、根太３の端部は、根太掛け２ａに嵌合されるとともに、該端部の両側面からそれぞれ該端部の木口へ抜ける釘５により床梁２に固定されているので、床梁２及び根太３を強固に一体化させることができる。そして、これらの構成により床構造１の強度を大幅に向上させて、建築物１０のねじれ等の変形を防止し、もって、建築物１０の耐震性を向上させることができる。
【００２２】
また、構造用合板６とフローリング９との間にプラスターボード７を積層しているので、床板部４の剛性を向上させることができる。これにより、特に縦揺れに対する抵抗を向上させることができる。また、プラスターボード７は、床の防音性を向上させるようにも作用する。
【００２３】
また、床板部４は、プラスターボード７と、フローリング９との間に遮音シート８が敷設されてなっているので、床の防音性をさらに向上させることができる。
【００２４】
なお、本考案は前記実施形態に限定されるものではなく、考案の趣旨から逸脱しない範囲で適宜変更して具体化することもできる。
【図面の簡単な説明】
【００２５】
【図１】本考案を具体化した一実施形態に係る床構造を備えた建築物を示す一部破断斜視図である。
【図２】同床構造を示す斜視図である。
【図３】図２のＩＩＩ矢視図である。
【図４】（ａ）は図２のＩＶａ−ＩＶａ線断面図であり、（ｂ）は図２のＩＶｂ−ＩＶｂ線断面図である。
【図５】同建築物の壁の断面図である。
【図６】従来の建築物の床構造を示す斜視図である。
【符号の説明】
【００２６】
１    床構造
２    床梁
２ａ  根太掛け
３    根太
４    床板部
５    釘
６    構造用合板
７    プラスターボード
８    遮音シート
９    フローリング
１０    建築物
１１    基礎
１２    鉄筋
１３    コンクリート
１４    土台
１６    柱
２０    壁
２１    サイディング
２２    通気層
２３    透湿防水紙
２４    構造用パネル
２５    断熱材
２６    内装材
【図１】
0003127336.tif 000003
【図２】
0003127336.tif 000004
【図３】
0003127336.tif 000005
【図４】
0003127336.tif 000006
【図５】
0003127336.tif 000007
【図６】
0003127336.tif 000008